(57)【特許請求の範囲】
【請求項１】
ハブと、
各ノードがいくつかの加入者構内に関連づけられ、少なくとも１つの一方向光ファイバＷＤＭリングにより相互接続された複数のノードと、
各ノードにあり、該ノードに割り当てられた波長チャネルの光信号を合分波する光合分波モジュール（以下「ＯＡＤＭ」という）と、
各ノードにあり、入出力通信トラフィックを調整し、光信号領域と電気信号領域の間の変換を行う給電された端末機器とを有する通信ネットワークにおいて、
１つ以上のノード（以下「拡張ノード」という）において、対応するＯＡＤＭは、該給電された端末機器とは物理的に異なる位置に配置され、光媒体を通じて該給電された端末機器に接続され、
各拡張ノードにおいて、該ノード宛でない通信トラフィックは、接続を必要とする加入者構内の筐体を１個だけ通ってルーティングされ、
各拡張ノードにおいて、該ノード宛でない通信トラフィックが、接続を必要とする加入者構内の筐体を通ってルーティングされる場合、該筐体は該ノードに対応するＯＡＤＭを含むことを特徴とする通信ネットワーク。
【請求項２】
各ノードにおけるＯＡＤＭは複数の薄膜フィルタを有することを特徴とする請求項１に記載の通信ネットワーク。
【請求項３】
前記ＷＤＭリングは、１０ｎｍ以上３０ｎｍ以下のチャネル間隔を有する複数の疎ＷＤＭ波長チャネルで通信トラフィックを伝達することが可能であることを特徴とする請求項１に記載の通信ネットワーク。
【請求項４】
各拡張ノードにおいて、該給電された端末機器およびＯＡＤＭは、ビルディングの相異なるフロアに配置されることを特徴とする請求項１に記載の通信ネットワーク。
【請求項５】
前記ネットワークは、いずれの特定のネットワーク加入者にも関連しない共有エリアを通り、
前記ネットワークは、特定のネットワーク加入者に関連する加入者構内を通り、
各拡張ノードにおいて、ＯＡＤＭの位置は、該給電された端末機器よりも前記共有エリアの近くであることを特徴とする請求項１に記載の通信ネットワーク。
【請求項６】
前記ネットワークは、いずれの特定のネットワーク加入者にも関連しない共有エリアを通り、
前記ネットワークは、特定のネットワーク加入者に関連する加入者構内を通り、
各拡張ノードにおいて、ＯＡＤＭの位置は、前記共有エリアの内部であることを特徴とする請求項１に記載の通信ネットワーク。
【請求項７】
少なくとも１つの拡張ノードのＯＡＤＭは、前記ＷＤＭリングと一体化され、該ＯＡＤＭからは、該拡張ノードに関連する加入者のみのトラフィックを伝達するケーブルが出ていることを特徴とする請求項１に記載の通信ネットワーク。
【請求項８】
前記ケーブルは、前記加入者に関連する加入者構内を通るが、前記ＷＤＭリングは前記加入者構内を通らないことを特徴とする請求項７に記載の通信ネットワーク。
【請求項９】
前記ネットワークは、いずれの特定のネットワーク加入者にも関連しない共有エリアを通り、
前記ネットワークは、特定のネットワーク加入者に関連する加入者構内を通って配信されるトラフィックを伝達し、
各ノードのＯＡＤＭは、前記ＷＤＭリングと一体化され、
各ＯＡＤＭからは、関連するノードに関連する加入者のみのトラフィックを伝達するケーブルが出ており、
前記ＷＤＭリングは、ＯＡＤＭを含めて、前記共有エリアの内部のみに配置されることを特徴とする請求項１に記載の通信ネットワーク。
【発明の詳細な説明】
【０００１】
【発明の属する技術分野】
本発明は、光ネットワーキングに関し、特に、ＷＤＭリングが短距離通信を伝達する設備に関する。
【０００２】
【従来の技術】
現在、例えば電話キャリアやケーブル事業者によって、通常約２０ｋｍ以下だけ離れて相互接続されたノードどうしの間にインターネットプロトコル（ＩＰ）パケットの短距離伝送を提供する市場需要がある。提案されている方式は、ＳＯＮＥＴインタフェース上のＩＰパケットを使用するとともに、波長分割多重（ＷＤＭ）を用いて光ファイバ伝送媒体上でパケットを伝達するものである。
【０００３】
短距離ネットワークのアーキテクチャの１つのクラスとして、リングアーキテクチャのクラスがある。このようなアーキテクチャは、オフィス街、キャンパス、軍事基地、地理的に分散した会社ビルディングのネットワークなどにサービスするのに特に有用である。通常、１対の逆方向に伝搬する光ファイバリングが、リングに沿って配置された複数のノードをハブに接続する。ハブは、リングと外部通信ネットワークとの間のインバウンド（入方向）およびアウトバウンド（出方向）伝送を管理する。各ノードは一般に、一加入者または複数の加入者の集合（例えば、都会のオフィスビルディング内のオフィスルーム）にサービスする。
【０００４】
各ノードにおいて、リングは通常、そのノードへの受信トラフィックをリングから抽出し、そのノードからの送信トラフィックをリングに注入する電子キャビネットを通る。一般に電気領域でのこのようなトラフィックの扱いは、通常、光領域と電気領域の間の変換を実行するトランシーバに結合した従来のパケットデータシェルフによって実行される。
【０００５】
【発明が解決しようとする課題】
ノードどうしの間では、多くの場合、地下のパイプやトンネルなどの内部にリングコンポーネントを収納することが可能である。しかし、ノードに到達するには、多くの場合、オフィスビルディング内のフロアどうしの間でリングコンポーネントを引き回し、あるいは、アクセスを容易にするためにリングを露出することが必要となる。このような設置は、少なくとも２つの欠点を有する。
【０００６】
第１の欠点は、ビルディング内のルーティングは、リングがビルディング内のフロアどうしの間で昇降する際に、すべてのリングトラフィックをあるパッチパネルから別のパッチパネルに中継することによって、達成される点にある。それぞれのパッチパネル接続に対応して損失がある。この損失は、影響のあるトラフィックが通るすべてのノードにわたり累積する。各加入者は、自己のノードに到達する際だけでなく、その加入者のトラフィックが通る各ノードに到達する際にも、この損失による不利益を被る。
【０００７】
第２の欠点は、リングは、ノードを出入りする際に、信頼性および安全性（セキュリティ）が低減する可能性がある。その場合に、故意の傍受とともに、偶然の擾乱にさらされる可能性が高くなるからである。
【０００８】
【課題を解決するための手段】
本発明によれば、複数のノードをハブと相互接続する二重リング双方向光ファイバ伝送システムが実現され、複数のＷＤＭチャネルが各リング上に確立される。
【０００９】
そのようなシステムの例について以下で簡単に説明する。この例示的なシステムについてさらに詳細には、L. Adams, J. Anderson, W. Brinkman, and R. Brobergによる米国特許出願（出願日：１９９９年６月１５日、発明の名称："Wideband Optical Packet Ring Network"）に記載されている。
【００１０】
本発明を限定するものではないが、チャネルの間隔が比較的広い（例えば、１０〜３０ｎｍのオーダーの間隔、特に約２０ｎｍ）ために、非常に低コストのトランシーバの使用が可能であり、温度制御が不要である場合には、本発明は特に有用である。このようなＷＤＭシステムを疎ＷＤＭ（Ｃ−ＷＤＭ：coarse WDM）システムということが多い。
【００１１】
各ノードにおいて、光合分波モジュール（ＯＡＤＭ：optical add-drop module）は、チャネル内の情報を、
（ａ）受信機の目的で抽出し、
（ｂ）送信機の目的で注入する
ように構成された誘電体薄膜フィルタ（ＴＦＦ：thin film filter）を有する。特に、この種のフィルタは、冷却しない場合、レーザトランシーバにおける温度変化に通常伴う波長ドリフトに適応するのに適している。
【００１２】
発明者が観察したところによれば、Ｃ−ＷＤＭにおいてＴＦＦをこのように使用することはさらに利点を有する。ＴＦＦの波長同調は一般に湿度安定性が高く、広い温度範囲にわたって比較的安定であり、しかも、Ｃ−ＷＤＭチャネルの比較的大きい幅はいかなる場合にもかなりの量の温度ドリフトに適応可能であるため、このようなフィルタの使用により、温度制御環境において、あるいは、居住可能温度に制限された環境でも、ＯＡＤＭを維持する必要性が緩和される。この点に関して発明者が初めて認識したところでは、ＯＡＤＭは、収納している電子キャビネット（例えば、関連するノードのパケットプロセッサ）から取り出すことが可能である。そして、代わりに、リングの、アクセス可能性の低い部分（例えば地下部分）に物理的に近い場所に配置することが可能である。これにより、各ノードに到着するトラフィックを抽出し、抽出されたトラフィックのみを、関連する加入者がいるビルディング内にルーティングすることが可能となる。これにより、他の加入者に属するトラフィックは、関連加入者のトラフィックが受けるパッチパネル損失および露出から免れる。
【００１３】
このように、本発明の１つの特徴によれば、各ノードがそれぞれの加入者構内にある複数のノードどうしの間で通信トラフィックを伝達する光ファイバＷＤＭリングが実現される。ＷＤＭリングは、各ノードに、そのノードの信号を合分波するＯＡＤＭを有する。また、ＷＤＭリングは、各ノードに、入出力データを調整し、光領域と電気領域の間で変換を行う電力端末機器を有する。少なくともいくつかのノード（拡張ノードという）のそれぞれにおけるＯＡＤＭは、電力端末機器から物理的に離れた場所に配置され、光媒体を通じて電力端末機器に接続される。各拡張ノードにおいて、そのノード宛でないトラフィックは、接続を要求する加入者構内の１個だけの筐体を通ってルーティングされる。このような筐体がある場合、これはそのＯＡＤＭを含む。
【００１４】
【発明の実施の形態】
本発明は、一般に、チャネル選択にＴＦＦを使用するＷＤＭリングネットワークにおいて有用である。われわれは、本発明が有用に使用されるこのようなネットワークを開発した。例示のため、われわれのネットワークについて、図１を参照して説明する。
【００１５】
本発明によれば、複数の、広い間隔の疎ＷＤＭチャネルがそれぞれの一方向リング１０１、１０２上に確立されるように、一連のノード（例えば、ノード１１０〜１１６）をハブ１３０と相互接続する二重リング双方向光ファイバ伝送システムが実現される。一般に、２０ｎｍのオーダーの比較的広い間隔のチャネルにより、安価なトランシーバの使用が可能になるとともに、半導体レーザのようなトランシーバコンポーネントの温度を制御する必要がなくなる。各ノードには、チャネル内の情報を、
（ａ）受信機の目的で抽出し、
（ｂ）送信機の目的で注入する
ように構成されたＴＦＦを有する光合分波モジュールがある。この種のフィルタは、冷却しないレーザにおける温度変化に通常伴う波長ドリフトに適応するのに適している。
【００１６】
代表的には、チャネル通過帯域は１３ｎｍ、チャネル間隔は２０ｎｍである。この場合に有用なチャネル間隔の例示的な範囲は、５〜２０ｎｍである。
【００１７】
ＴＦＦについてさらに詳細には、L. Adams, J. Anderson, R. Broberg and G. Lenzによる米国特許出願（出願日：１９９９年６月１５日、発明の名称："Optical Add-Drop Module With Low Loss And High Isolation"）に記載されている。簡単にいえば、ＴＦＦは、複数の誘電体材料の交互層を光学ガラスのような適当な基板上に堆積することによって形成される。ＴＦＦ、およびＴＦＦデバイスは、いくつかの供給元（例えば、Optical Corporation of America, 170 Locke Drive, Marlborough, Massachusetts、および、ETEK Dynamics, Inc., 1885 Lundy Avenue, San Jose, California）から市販されている。
【００１８】
チャネル内の信号は、変調および復調を実行する標準的な光トランシーバによって、各ノードでＴＦＦに結合される。各フィルタ通過帯域は、複数の密波長分割多重（Ｄ−ＷＤＭ）チャネルで占めることが可能であるため、各ノードで処理可能なトラフィックの容量は容易に拡大することができる。さらに、トランシーバは、ＩＰパケット  ｏｖｅｒ  ＳＯＮＥＴ（ＳＯＮＥＴ上のＩＰパケット）フレーマに接続される。これは、通常のレイヤ３ルーティングエンジンに受信ＩＰパケットを供給するとともに、このレイヤ３ルーティングエンジンから送信ＩＰパケットを受け取る。
【００１９】
ＯＡＤＭにおけるＴＦＦの有効な使用により、単純なレーザを光ファイバ伝送システムで使用することが可能となり、これにより、熱電冷却器やヒートシンクが不要となり、熱放出は低減し、ハブおよびノードは現在利用可能なものよりサイズを小さくすることができる。さらに、このアーキテクチャでは、成長に応じて支払う方法が使用可能となり、ノードどうしの間の容量は、リング上の他のノードに影響を及ぼすことなく、チャネルを追加することにより増大させることが可能である。
【００２０】
ハブ１３０は、管理されたＩＰバックボーンネットワーク１４０に接続される。図１の伝送システムは、バックボーンネットワーク１４０から、他のアクセスネットワーク（図ではノード１１３に接続されたＩＰアクセスネットワーク１２０）を通じてこのシステムと相互接続された宛先へ、およびその逆方向に（すなわち、アクセスネットワーク１２０に接続されたユーザからバックボーンネットワーク１４０へ）、通常はＳＯＮＥＴインタフェースおよびプロトコルを用いて、ＩＰパケットをルーティングするのに有効である。ＩＰアクセスネットワーク１２０は、米国ニュージャージー州Murray HillのLucent Technologies Inc.から入手可能なPathStar IP switchとすることが可能である。
【００２１】
次に、図２において、リング１０１が、ノード１１０〜１１２をハブ１３０と相互接続するように示されている。リング１０１は、ノードからノードへ時計回りの向きにパケットを送信するように図示されている。ノード１１０〜１１２のそれぞれは、それぞれのＯＡＤＭ２１０〜２１２を有し、このＯＡＤＭにおいて、ＴＦＦは、
（ａ）リング１０１上に存在する波長分割多重信号から、広い間隔のＷＤＭチャネルに対応する特定の波長帯域内の信号のみを抽出し、
（ｂ）同じ特定の波長帯域およびＷＤＭチャネルにおいて、リング１０１上に信号を挿入する
ように構成される。従って、図２からわかるように、ノード１１０内のＯＡＤＭ２１０は波長λ1に同調し、ノード１１１内のＯＡＤＭ２１１は波長λkに同調し、ノード１１２内のＯＡＤＭ２１２は波長λ7に同調する。この例では、全部で７個のＷＤＭチャネルがリング１０１上で利用可能であることを仮定している。
【００２２】
ハブ１３０では、入力情報パケットは、マルチプレクサ（ＭＵＸ）２３０を通じてリング１０１に送られ、出力情報パケットは、デマルチプレクサ（ＤＭＵＸ）２３５を通じてリング１０１から抽出される。マルチプレクサ２３０およびデマルチプレクサ２３５は、それぞれ、リング１０１の始端および終端に接続される。これらの要素は、例えば、Lucent Technologies, Inc.から入手可能なPacketStar W-WDM LiRICの一部とすることが可能である。図示した実施例では、マルチプレクサ２３０は、７個の個別の入力ストリームで伝達されたパケットを受け取る。各ストリームは、λ1〜λ7の個々のＷＤＭチャネルを表す。個々の入力は、単一のＷＤＭ信号へと合成され、リング１０１に送られる。同様に、デマルチプレクサ２３５は、リング１０１上のＷＤＭ信号を受け取り、合成信号を７個の個別の出力ストリームに分離し、それらの出力ストリームを適当な復号装置に送る。
【００２３】
図３は、図１および図２のノードのうちの１つの構成を詳細に示すブロック図である。図３において、リング１０１は、時計回りの向きに（図３で左から右へ）パケットを循環させ、複数のＷＤＭチャネルλ1〜λNの信号をＯＡＤＭ２１０に送る。ＯＡＤＭ２１０は、図３では、２個の異なる広帯域フィルタ、すなわち、抽出（分波、ＤＲＯＰ）フィルタ２１０−１および挿入（合波、ＡＤＤ）フィルタ２１０−２として示されている。ＴＦＦ分波フィルタ２１０−１の機能は、ノードで受信された合成信号から、ＷＤＭチャネルのうちの１つλ1の信号のみを分離することである。この信号は、下流コネクション３１１を通じて、標準的な光トランシーバ３１０の受信機部分に送られる。光トランシーバ３１０は、キャリア部分からパケットの情報部分を復調し、その情報パケットをパケットフレーマ３１２（例えば、ＴＤＡＴ  ＳＴＳ−１／１２ｃパケットフレーマ）に送るように構成される。パケットフレーマ３１２は、パケット  ｏｖｅｒ  ＳＯＮＥＴ変換アルゴリズムを実装する。フレーマ３１２の出力は、レイヤ３パケット転送エンジン３２０に送られる。レイヤ３パケット転送エンジン３２０は、図１のＩＰアクセスネットワーク１２０の一部であるPacketStar IP switchとすることが可能である。
【００２４】
逆すなわち上流方向では、パケットフレーマ３１２において転送エンジン３２０から受信されるＩＰパケットは、ＩＰフォーマットからパケット  ｏｖｅｒ  ＳＯＮＥＴフォーマットに変換され、特定のＷＤＭチャネルに対応する公称波長λ1を有するレーザを変調するために、光トランシーバ３１０の送信機部分に送られる。トランシーバ３１０の出力は、上流コネクション３１３を通じて、ＯＡＤＭの挿入フィルタ２１０−３に送られ、リング１０１上のノードから送信される信号と合成される。
【００２５】
同様の構成が、リング１０２の一部であるＯＡＤＭ２１０′でも使用される。リング１０２では、情報パケットは反時計回りの向きに（図３で右から左へ）伝達される。前述のように、図１〜図３に示す二重リング構成によれば、リング容量の拡張と、リング障害の場合の保護を可能にする。ここで、ＯＡＤＭ２１０′は、抽出（分波）フィルタ２１０′−４および挿入（合波）フィルタ２１０′−２を有する。抽出フィルタ２１０′−４の出力は、下流コネクション３１６を通じて、光トランシーバ３１５の受信機部分に接続される。トランシーバ３１５からのパケット出力は、パケットフレーマ３１７でＩＰフォーマットに変換され、ＩＰ転送エンジン３２０に送られる。上流方向については、転送エンジン３２０からのＩＰパケットは、パケットフレーマ３１７でＳＯＮＥＴプロトコルに変換され、光トランシーバ３１５の送信機部分に送られる。トランシーバ３１５の出力は、上流コネクション３１８を通じて、ＯＡＤＭ２１０′の挿入フィルタ２１０′−３に結合される。
【００２６】
通常の設備では、２つの一方向リングを含む光リングネットワークは、加入者のビルディングに出入りする場所を除いては、例えばトンネル、パイプ、または外装ケーブルに入れて地下に設置される。本明細書では、「共有エリア」という用語は、ネットワーク設置エリアのうち、いずれの特定の加入者にも属さない地理的エリアを指し、「加入者構内」という用語は、特定の加入者に属するエリアを指すものとする。従って、加入者構内は、特定の加入者を収容するビルディングを含み、また、特定の加入者がいるビルディングにトラフィックを配信するために通るエリアをも含む。ネットワークのうち、加入者のビルディングに近い部分は、共有エリアよりも安全性（セキュリティ）の低い状態で配備されることが多い。その理由は、例えば、浅く埋められていたり、架空の電線を通じて渡されていたりするからである。
【００２７】
加入者のビルディング内への入口点の近くでは、ネットワークケーブルは通常、例えばビルディングの１階に配置された接続箱（ジャンクションボックス）やパッチパネルを通る。本明細書では、「接続箱」という用語は、その中で光ファイバ接続が行われる任意の筐体を指すものとする。図４において、入ってくるネットワークケーブル４０２のためのこのような接続箱を箱４００として示す。図４のネットワークは、６加入者を有し、それぞれに、中心波長λ1〜λ6のうちの１つを有するそれぞれの波長チャネルが割り当てられる。電子キャビネット（クロゼット）４０５は、加入者のＯＡＤＭ、光トランシーバ、パケットフレーマ、ならびに、例えばレイヤ３ルータおよび関連する電子機器を収納し、ビルディングの加入者のフロア、または、例えばビルディングの通信機器専用のフロアに配置される。箱４００とキャビネット４０５の間の接続は通常、図４のボックス４１０および４１５のような一連のパッチパネルを通じて、フロアからフロアへケーブルを渡すことによって行われる。
【００２８】
上記のような従来のリングネットワーク設備はいくつかの欠点を有する。１つの欠点は、加入者構内では共有エリアにおいてよりも、ケーブルは安全性（セキュリティ）が低くなり、偶然の障害や故意の傍受を受けやすくなる。これは特にビルディング内で成り立つ。なお、この点に関して、各加入者のトラフィックは、その加入者のビルディングを通るフロア間でルーティングされるだけでなく、他の加入者のビルディングをも通ることに注意すべきである。セキュリティを重視する加入者は、自己のビルディング内のパッチパネルへのアクセスを管理することができるかもしれないが、一般には、他のビルディング内にこのような管理を及ぼすことはできない。従って、このような加入者は、そのトラフィックが事故や傍受にさらされることについて心配する原因がある。
【００２９】
第２の欠点は、各ケーブル接続に伴う損失があることである。通常の設備では、この損失は、ノードあたり、多くの場合１．５ｄＢに達し、あるいはさらに２．５ｄＢ以上になることもある。ネットワークには通常５〜１０個のノードがあるため、あらゆる加入者は、単にパッチパネル接続の結果として、１０ｄＢあるいはそれ以上の損失を受ける可能性があることがわかる。
【００３０】
本発明による解決法は、ＯＡＤＭを電子キャビネット４０５から取り出し、代わりに、ネットワーク設備の共有エリアに近いところにそれを配置することである。例えば、図５に示すように、本発明によれば、ＯＡＤＭ５０１を、接続箱５００の中に、またはそれに隣接して配置する。接続箱５００は、図４の箱４００と同様に、ケーブル４０２がビルディングに入って最初に遭遇する接続箱である。図５に示すように、関連する加入者の波長チャネルの中心波長はλ1である。従って、ＯＡＤＭ５０１は、例えばパッチパネル５１０および５１５を通りクロゼット５０５へルーティングするためにこのチャネルの入力トラフィックを分離する。クロゼット５０５からパッチパネル５１０および５１５を通りルーティングされるこのチャネルの出力トラフィックは、ＯＡＤＭ５０１によりケーブル４０２に注入される。図５は、与えられたビルディング宛でないチャネルが、そのビルディングでパッチパネルや接続箱の損失を受けない場合を示している。これは、ＯＡＤＭが接続箱よりも前にあるからである。
【００３１】
本発明による新規な方法の結果、各加入者は、自己のものでない各ビルディングで１個だけの接続箱からの損失しか受けない。さらに、各加入者のトラフィックは、その加入者のビルディングないのみでフロア間でルーティングされるため、セキュリティが高くなる。
【００３２】
本発明の重要な特徴は、ＴＦＦを用いて、ＯＡＤＭにおけるチャネル選択機能を実行することである。ＴＦＦの波長同調は、他の波長選択デバイスに比べて、温度および湿度に対する感度が低い。例えば、ＴＦＦでは通常、摂氏１度あたりの温度ドリフト値は０．００１ｎｍである。一般にＷＤＭネットワーク、特にＣ−ＷＤＭネットワークでは、これにより、ＯＡＤＭを、温度制御されていない環境に設置することが実現可能となる。このような環境として、例えば、ビルディングの外壁上とすることも可能である。この場合、温度は氷点下から４０℃以上まで変わりうる。このような環境は、地下やサービスエリアの、炉、ボイラー、あるいは蒸気パイプの近くのこともある。さらに、ＴＦＦは受動デバイスであるため、モニタリングが不要である。従って、ＯＡＤＭは、アクセス可能性が制限されたエリアに設置することが可能であり、普通は、年１回のような長い間隔での検査しか必要とされない。
【００３３】
実際、ＯＡＤＭのこれらの性質により、ＯＡＤＭを、加入者の電子キャビネットとは異なるフロアに設置することが可能であるだけでなく、加入者のビルディングの外部に設置することも可能である。例えば、ＯＡＤＭは、縁石の側面や、加入者構内で共有エリアと加入者のビルディングの間の地上または地下の位置に設置することが可能である。あるいは、ＯＡＤＭは、電柱上またはその近くに設置して、関連する加入者のトラフィックのみが架空ケーブルを通じて電柱からビルディングに配信されればよいようにすることが可能である。
【００３４】
さらに、ＯＡＤＭは、ネットワークの共有エリア内に設置して、与えられた加入者との間のトラフィックのみがこの加入者の構内に入るようにすることが可能である。このようなＯＡＤＭへのアクセスは、ネットワークが地下に設置される場合には、例えばマンホールを通じて容易になされる。このような便宜は、ネットワークの一加入者に対しても、一部の加入者に対しても、全加入者に対してもはかることが可能である。具体的には、図６に示すように、複数のＯＡＤＭ（例えば図のＯＡＤＭ６０１〜６０４）はそれぞれ、共有リング６１０に一体化されることが可能である。通常、それぞれ逆向きに循環する複数のリングがあるが、そのようなリングの１つのみを図示している。各ＯＡＤＭからは、それぞれのノード固有のケーブル６１１〜６１４が出ており、各ケーブルは、それぞれの加入者６２１〜６２４との間でそれぞれの波長チャネル上のトラフィックを伝達する。
【００３５】
本発明の実施例についての上記の説明は、インターネットプロトコル（ＩＰ）パケットを伝達するＩＰネットワークに関するものであるが、理解されるように、本発明は、さまざまなタイプのネットワークとともに、および、さまざまなタイプの情報を伝達するパケットもしくは信号の伝送とともに使用可能である。従って、本明細書において、「パケット」という用語には、データパケット（例えば、非同期転送モード（ＡＴＭ）、同期転送モード（ＳＴＭ）、あるいはインターネットプロトコル（ＩＰ）ネットワークで使用されるもの）とともに、例えばストリーミングオーディオやビデオアプリケーションに見られる「フレーム」と呼ばれることのあるようなその他の情報伝達信号が含まれる。しかし、これらには限定されない。
【００３６】
【発明の効果】
以上述べたごとく、本発明によれば、
【図面の簡単な説明】
【図１】複数のノードをハブと相互接続するように構成された二重リング双方向光ファイバ伝送システムのブロック図である。
【図２】ハブおよびいくつかのノードの拡大詳細図を含む、図１の光伝送リングの一方を示すブロック図である。
【図３】図１の伝送システムの、例示的なノードの拡大ブロック図である。
【図４】例示的なオフィスビルディングに光リングネットワークを通す従来の方法を示す概略図である。
【図５】本発明の一実施例により、図４の例示的なオフィスビルディングに光リングネットワークの一部を通す方法を示す概略図である。
【図６】いくつかのノードのそれぞれに対応するＯＡＤＭが共有リングと一体化された、本発明の代替実施例による光リングネットワークの概念図である。
【符号の説明】
１０１  一方向リング
１０２  一方向リング
１１０〜１１６  ノード
１２０  ＩＰアクセスネットワーク
１３０  ハブ
１４０  ＩＰバックボーンネットワーク
２１０〜２１２  ＯＡＤＭ
２３０  マルチプレクサ
２３５  デマルチプレクサ
３１０  光トランシーバ
３１１  下流コネクション
３１２  パケットフレーマ
３１３  上流コネクション
３１５  光トランシーバ
３１６  下流コネクション
３１７  パケットフレーマ
３１８  上流コネクション
３２０  レイヤ３パケット転送エンジン
４００  接続箱
４０２  ネットワークケーブル
４０５  電子キャビネット
４１０  パッチパネル
４１５  パッチパネル
５００  接続箱
５０１  ＯＡＤＭ
５０５  クロゼット
５１０  パッチパネル
５１５  パッチパネル
６０１〜６０４  ＯＡＤＭ
６１０  共有リング
６１１〜６１４  ケーブル
６２１〜６２４  加入者
【図１】
0003757100.tif 000002
【図２】
0003757100.tif 000003
【図３】
0003757100.tif 000004
【図４】
0003757100.tif 000005
【図５】
0003757100.tif 000006
【図６】
0003757100.tif 000007